【手続補正書】
【提出日】平成20年3月14日(2008.3.14)
【手続補正１】
【補正対象書類名】特許請求の範囲
【補正対象項目名】全文
【補正方法】変更
【補正の内容】
【特許請求の範囲】
【請求項１】
有線および無線の通信インタフェースを備え、各々が固有の有線通信インタフェース識別情報および無線通信インタフェース識別情報を有する複数のコントローラ装置との間で有線または無線にて通信を行い、各コントローラ装置のユーザからの指示操作を受信して、当該指示操作に基づく処理を実行するセンタ装置において、
前記複数のコントローラ装置の各々について、コントローラ装置が有線接続されたときに、当該コントローラ装置の有線通信インタフェース識別情報および無線通信インタフェース識別情報を取得する取得手段と、
前記取得した各々のコントローラ装置の有線通信インタフェース識別情報と、無線通信インタフェース識別情報とを関連付けて記憶する手段と、
コントローラ装置とセンタ装置との間の通信に用いる通信インタフェースが有線から無線、または無線から有線へと変更されたときには、変更前の通信インタフェースの識別情報に関連付けて記憶されている変更後の通信インタフェース識別情報を用いて、コントローラ装置との通信を継続する手段と、
と含むことを特徴とするセンタ装置。
【請求項２】
有線および無線の通信インタフェースを備え、各々が固有の有線通信インタフェース識別情報および無線通信インタフェース識別情報を有する複数のコントローラ装置との間で有線または無線にて通信を行い、各コントローラ装置のユーザからの指示操作を受信して、当該指示操作に基づく処理を実行するセンタ装置を用い、
前記複数のコントローラ装置の各々について、コントローラ装置が有線接続されたときに、当該コントローラ装置の有線通信インタフェース識別情報および無線通信インタフェース識別情報を取得するステップと、
前記取得した各々のコントローラ装置の有線通信インタフェース識別情報と、無線通信インタフェース識別情報とを関連付けて記憶するステップと、
コントローラ装置とセンタ装置との間の通信に用いる通信インタフェースが有線から無線、または無線から有線へと変更されたときには、変更前の通信インタフェースの識別情報に関連付けて記憶されている変更後の通信インタフェース識別情報を用いて、コントローラ装置との通信を継続するステップと、
を実行することを特徴とするセンタ装置の制御方法。
【請求項３】
有線および無線の通信インタフェースを備え、各々が固有の有線通信インタフェース識別情報および無線通信インタフェース識別情報を有する、少なくとも一つのコントローラ装置と、
前記コントローラ装置との間で有線または無線にて通信を行い、各コントローラ装置のユーザからの指示操作を受信して、当該指示操作に基づく処理を実行するセンタ装置と、を含み、
前記センタ装置は、
前記複数のコントローラ装置の各々について、コントローラ装置が有線接続されたときに、当該コントローラ装置の有線通信インタフェース識別情報および無線通信インタフェース識別情報を取得する取得手段と、
前記取得した各々のコントローラ装置の有線通信インタフェース識別情報と、無線通信インタフェース識別情報とを関連付けて記憶する手段と、
コントローラ装置とセンタ装置との間の通信に用いる通信インタフェースが有線から無線、または無線から有線へと変更されたときには、変更前の通信インタフェースの識別情報に関連付けて記憶されている変更後の通信インタフェース識別情報を用いて、コントローラ装置との通信を継続する手段と、
を含むことを特徴とするシステム。
【請求項４】
有線および無線の通信インタフェースを備え、各々が固有の有線通信インタフェース識別情報および無線通信インタフェース識別情報を有する複数のコントローラ装置との間で有線または無線にて通信を行い、各コントローラ装置のユーザからの指示操作を受信して、当該指示操作に基づく処理を実行するコンピュータに、
前記複数のコントローラ装置の各々について、コントローラ装置が有線接続されたときに、当該コントローラ装置の有線通信インタフェース識別情報および無線通信インタフェース識別情報を取得する手順と、
前記取得した各々のコントローラ装置の有線通信インタフェース識別情報と、無線通信インタフェース識別情報とを関連付けて記憶する手順と、
コントローラ装置とセンタ装置との間の通信に用いる通信インタフェースが有線から無線、または無線から有線へと変更されたときには、変更前の通信インタフェースの識別情報に関連付けて記憶されている変更後の通信インタフェース識別情報を用いて、コントローラ装置との通信を継続する手順と、
を実行させることを特徴とするプログラム。
【手続補正２】
【補正対象書類名】明細書
【補正対象項目名】０００６
【補正方法】変更
【補正の内容】
【０００６】
上記従来例の問題点を解決するための本発明は、有線および無線の通信インタフェースを備え、各々が固有の有線通信インタフェース識別情報および無線通信インタフェース識別情報を有する複数のコントローラ装置との間で有線または無線にて通信を行い、各コントローラ装置のユーザからの指示操作を受信して、当該指示操作に基づく処理を実行するセンタ装置において、前記複数のコントローラ装置の各々について、コントローラ装置が有線接続されたときに、当該コントローラ装置の有線通信インタフェース識別情報および無線通信インタフェース識別情報を取得する取得手段と、前記取得した各々のコントローラ装置の有線通信インタフェース識別情報と、無線通信インタフェース識別情報とを関連付けて記憶する手段と、コントローラ装置とセンタ装置との間の通信に用いる通信インタフェースが有線から無線、または無線から有線へと変更されたときには、変更前の通信インタフェースの識別情報に関連付けて記憶されている変更後の通信インタフェース識別情報を用いて、コントローラ装置との通信を継続する手段と、を含むことを特徴としている。
【手続補正３】
【補正対象書類名】明細書
【補正対象項目名】０００７
【補正方法】変更
【補正の内容】
【０００７】
また、本発明の一態様に係るセンタ装置の制御方法は、有線および無線の通信インタフェースを備え、各々が固有の有線通信インタフェース識別情報および無線通信インタフェース識別情報を有する複数のコントローラ装置との間で有線または無線にて通信を行い、各コントローラ装置のユーザからの指示操作を受信して、当該指示操作に基づく処理を実行するセンタ装置を用い、前記複数のコントローラ装置の各々について、コントローラ装置が有線接続されたときに、当該コントローラ装置の有線通信インタフェース識別情報および無線通信インタフェース識別情報を取得するステップと、前記取得した各々のコントローラ装置の有線通信インタフェース識別情報と、無線通信インタフェース識別情報とを関連付けて記憶するステップと、コントローラ装置とセンタ装置との間の通信に用いる通信インタフェースが有線から無線、または無線から有線へと変更されたときには、変更前の通信インタフェースの識別情報に関連付けて記憶されている変更後の通信インタフェース識別情報を用いて、コントローラ装置との通信を継続するステップと、を実行することを特徴としている。
【手続補正４】
【補正対象書類名】明細書
【補正対象項目名】０００８
【補正方法】変更
【補正の内容】
【０００８】
さらに、本発明の別の態様に係るシステムは、有線および無線の通信インタフェースを備え、各々が固有の有線通信インタフェース識別情報および無線通信インタフェース識別情報を有する、少なくとも一つのコントローラ装置と、前記コントローラ装置との間で有線または無線にて通信を行い、各コントローラ装置のユーザからの指示操作を受信して、当該指示操作に基づく処理を実行するセンタ装置と、を含み、前記センタ装置は、前記複数のコントローラ装置の各々について、コントローラ装置が有線接続されたときに、当該コントローラ装置の有線通信インタフェース識別情報および無線通信インタフェース識別情報を取得する取得手段と、前記取得した各々のコントローラ装置の有線通信インタフェース識別情報と、無線通信インタフェース識別情報とを関連付けて記憶する手段と、コントローラ装置とセンタ装置との間の通信に用いる通信インタフェースが有線から無線、または無線から有線へと変更されたときには、変更前の通信インタフェースの識別情報に関連付けて記憶されている変更後の通信インタフェース識別情報を用いて、コントローラ装置との通信を継続する手段と、を含むことを特徴としている。
【手続補正５】
【補正対象書類名】明細書
【補正対象項目名】０００９
【補正方法】変更
【補正の内容】
【０００９】
さらに、本発明の別の態様に係るプログラムは、有線および無線の通信インタフェースを備え、各々が固有の有線通信インタフェース識別情報および無線通信インタフェース識別情報を有する複数のコントローラ装置との間で有線または無線にて通信を行い、各コントローラ装置のユーザからの指示操作を受信して、当該指示操作に基づく処理を実行するコンピュータに、前記複数のコントローラ装置の各々について、コントローラ装置が有線接続されたときに、当該コントローラ装置の有線通信インタフェース識別情報および無線通信インタフェース識別情報を取得する手順と、前記取得した各々のコントローラ装置の有線通信インタフェース識別情報と、無線通信インタフェース識別情報とを関連付けて記憶する手順と、コントローラ装置とセンタ装置との間の通信に用いる通信インタフェースが有線から無線、または無線から有線へと変更されたときには、変更前の通信インタフェースの識別情報に関連付けて記憶されている変更後の通信インタフェース識別情報を用いて、コントローラ装置との通信を継続する手順と、を実行させることを特徴としている。
【手続補正６】
【補正対象書類名】明細書
【補正対象項目名】００１０
【補正方法】削除
【補正の内容】